(57)【要約】【課題】文字を印刷しなおす工程を含まない時計の表示車の製造方法を提供すること。【解決手段】日車の構造を、別個の部材で製造した歯車部材１１と日文字印刷部材１２を日文字位置調整後に貼り合わせた二体構造とした。即ち、内周側に内歯１１ａが且つ外周側に環状突起１１ｂが夫々形成された歯車部材１１と、円環状板部材の日文字印刷面１２ａに日文字が印刷された日文字印刷部材１２とを、ムーブメントの組立て工程において日文字位置を決定し、決定された日文字位置で歯車部材１１に日文字印刷部材１２を接着又は溶着により固定して、日車を製造するようにした。【選択図】　　図３
2004053263.tif 000002
【特許請求の範囲】
【請求項１】
内歯を有する歯車部材を製造する工程と、
円環状板部材に文字を印刷して文字印刷部材を製造する工程と、
ムーブメントの組立て工程において文字位置を決定する工程と、
決定された文字位置で前記歯車部材に前記文字印刷部材を固定手段により固定する工程とから構成された表示車の製造方法。
【請求項２】
前記固定手段は、接着であることを特徴とする請求項１記載の表示車の製造方法。
【請求項３】
前記固定手段は、溶着であることを特徴とする請求項１記載の表示車の製造方法。
【請求項４】
請求項１乃至３のいずれかの製造方法により製造された表示車と、前記表示車を駆動する表示送り車と、
前記表示送り車に動力を与える動力源と
を有する時計。
【発明の詳細な説明】
【０００１】
【発明の属する技術分野】
本発明は、表示車の製造方法およびこれを有する時計に関する。
【０００２】
【従来の技術】
以下、表示車が日車の場合について述べる。
【０００３】
時計の日車１１０は、図７に示す如く、日送りモータの回転が減速輪列を介して伝達される内歯歯車であって、その表面には１日から３１日までの日文字が印刷されている。日送りモータの回転は電子時計のＣＰＵなどの制御装置で制御され、文字板に設けられている表示窓に選択された日車の日文字が表示される。
【０００４】
日車１１０は地板１１２に回転可能に組み込まれているが、日車１１０の裏側は地板１１２によって且つ表側は日車押さえ１１８によって軸方向の移動が夫々規制されている。日車押さえ１１８には、日ジャンパ１１６が一体に形成されている。また、日車１１０の回転位置は、日ジャンパ１１６によって規制されている。日ジャンパ１１６は、日車押え１１８から延びた腕状のバネ部１１６ｂと、バネ部の先端に形成された規制部１１６ａとを有する部品である。
【０００５】
日車は３１枚の内歯を有する歯車であり、１から３１までの日文字は各内歯に対応した所定の位置に印刷されている。この所定の位置は設計計算値により定められるものである。従来の日車２０は、図４に示す如く、内歯を有する歯車部２０ａと日文字が印刷された日文字印刷部２０ｂを１個の部材で構成した一体構造の部品である
即ち、従来の時計の日車２０の製造は、図６に示す如く、内歯を有する歯車部材を製造する工程（２０１）、設計計算値により日文字の印刷位置を決定する工程（２０２）、前記設計計算値により決定された位置において前記歯車部材の日文字印刷面に日文字を印刷する工程（２０３）、ムーブメントの組立て工程（２０４）、日文字位置の検査工程（２０５）印刷された日文字位置と基準位置とから補正量を決定する工程（２０６）、補正量に基づいて前記歯車部材の日文字印刷面に日文字を印刷しなおす工程（２０７）から構成されている。前記日文字印刷面に日文字を印刷しなおす工程（２０７）には、既に印刷されている日文字を削除する工程が当然に含まれる。
【０００６】
【発明が解決しようとする課題】
従来の時計では、ムーブメントを組立てると、ムーブメントを構成する地板、日ジャンパ、日車押えなどの部品の公差によって、日車の日文字位置がばらついてしまい、日文字が文字板の表示窓に正確に現れないという問題が起きている。ところが、日車の組付け位置は微調整することができない。このため、ばらつきの大きい日車は、日文字が文字板の表示窓に正確に現れるように印刷位置を補正して、日車の印刷面に日文字の印刷をし直すという面倒な工程があった。そして、この面倒な工程が、日車の製造コスト低減の妨げとなっていた。
【０００７】
本発明が解決しようとする課題は、文字を印刷しなおす工程を含まない時計の表示車の製造方法及び時計を提供することである。
【０００８】
【課題を解決するための手段】
上記課題を解決するために、表示車の構造を従来の歯車部２０ａと文字印刷部２０ｂを１個の部材で構成した一体構造でなく、別個の部材で製造した歯車部材と日文字印刷部を調整後に貼り合わせた二体構造とした。
【０００９】
即ち、上記課題を解決する時計の表示車の製造方法を、内歯を有する歯車部材を製造する工程、円環状板部材に日文字を印刷して文字印刷部材を製造する工程、ムーブメントの組立て工程において文字位置を決定する工程、決定された文字位置で前記歯車部材に前記文字印刷部材を固定手段により固定する工程とで構成した。前記固定手段は、接着又は溶着である。要するに、上記課題を解決する時計の表示車の製造方法は、別個に製造した歯車部材と文字印刷部材を調整後に貼り合わせたことを特徴とする表示車の製造方法である。
【００１０】
また、本発明の時計は、このように製造された表示車と、前記表示車を駆動する表示送り車と、前記表示送り車に動力を与える動力源とを有する。このように製造された表示車は、表示車に印刷された文字位置を後工程で補正することが無く、表示車を組み立てた後に文字の印刷をし直さなくて済むため、補正する工程をなくすことができる。
【００１１】
【発明の実施の形態】
本発明の実施の形態を図面に基づいて説明する。なお、表示車が日車である場合について説明するが、曜車であっても日車の場合と同様である。
【００１２】
本発明に係る製造方法で製造された日車１０は、図２〜図３に示す如く、従来の歯車部と日文字印刷部を１個の部材で構成した一体構造でなく、別個の部材で製造した歯車部材１１と日文字印刷部材１２を日文字位置調整後に貼り合わせた二体構造とした。即ち、内周側に内歯１１ａが且つ外周側に環状突起１１ｂが夫々形成された歯車部材１１と、円環状板部材の日文字印刷面１２ａに日文字が印刷された日文字印刷部材１２とを、ムーブメントの組立て工程において日文字位置を決定し、決定された日文字位置で歯車部材１１に日文字印刷部材１２を接着又は溶着により固定して、日車を製造するようにした。
【００１３】
本発明の一実施形態の製造方法は、図５に示す如く、内歯を有する歯車部材を製造する（１０１）。歯車部材は金属でもプラスチック部材のいずれでも構わない。円環状板部材に日文字を印刷して日文字印刷部材を製造する（１０２）。ここまでは、ムーブメントを構成する部品の製造である。ムーブメントの組立てる（１０３）。歯車部材は、日送り車や日ジャンパなどでその位置が保持される。そして、日文字印刷部材を歯車部材の上面に載せる。また、日車を駆動する動力源は、電子時計であれば電池であり、機械式時計であればぜんまいである。次に、保持されている歯車部材に対して、日文字印刷部材の日文字の固定位置を決定する（１０４）。決定された日文字位置で前記歯車部材に前記日文字印刷部材を固定手段により固定する（１０５）。前記固定手段は、接着又は溶着が好ましい。接着又は溶着であれば、日文字印刷部材の日文字の固定位置を決定した後、固定手段で固定する際に、決定位置がずれなくて済むからである。
【００１４】
日文字の固定位置を決定する工程（１０４）は、ムーブメント組立て工程において、基準文字板の日文字の位置を調整する工程である。
【００１５】
本発明の日車の製造方法は、上述の工程を含んで構成されているので、日文字位置を日車単体で任意に補正することが可能となる。また、日文字位置を個々のムーブメント毎に最適に配置することができる。
【００１６】
【発明の効果】
本発明は、別個に製造した歯車部材と日文字印刷部材を調整後に貼り合わせたことを特徴とする日車の製造方法である。従って、本発明により、従来の製造方法に必須の面倒な日文字の印刷のしなおし工程を含まない製造方法が提供された。なくなった。しかも、日文字位置を個々のムーブメント毎に最適に配置することができる。それ故、本発明により日車の製造コストを低減することができた。
【図面の簡単な説明】
【図１】本発明に係る日車を組み込んだ時計の一実施例の平面図である。
【図２】本発明の一実施例の日車の断面図（Ｂ）である。
【図３】本発明の一実施例の日車を構成する歯車部材（Ａ）と日文字印刷部材（Ｂ）の夫々の断面図である。
【図４】従来の日車の断面図（Ｂ）である。
【図５】本発明に係る日車の製造方法の一実施形態の工程図である。
【図６】従来の日車の製造方法の工程図である。
【図７】従来の時計のカレンダー機構部分を示す概略平面図（透視図）である。
【符号の説明】
１０　日車
１１　歯車部材
１１ａ　内歯
１１ｂ　環状突起
１２　日文字印刷部材
１２ａ　印刷面
２０　日車
２０ａ　歯車部
２０ｂ　日文字印刷部
１００　電子時計
１０４　日押し車
１０６　日回し車
１０８　日送りつめ
１１０　日車
１１２　地板
１１６　日ジャンパ
１１８　日車押え
【図１】
2004053263.tif 000003
【図２】
2004053263.tif 000004
【図３】
2004053263.tif 000005
【図４】
2004053263.tif 000006
【図５】
2004053263.tif 000007
【図６】
2004053263.tif 000008
【図７】
2004053263.tif 000009